(57)【要約】【課題】２抵抗３バルブ切換方式を用いて、全体をコンパクトにして安定した通電と確実な切換動作を実現することにある。【解決手段】タップ巻線のタップを選択するタップ選択器の２個の可動接点と変圧器の中性点との間にそれぞれ直列に接続して設けられた限流抵抗及び抵抗バルブと、タップ選択器の各々の可動接点と限流抵抗との間にそれぞれ設けた固定接点と該固定接点の一方を選択する可動接点からなる切換スイッチと、切換スイッチの可動接点と中性点との間に接続された主バルブとからなる負荷時タップ切換器において、蓄勢装置１により回動駆動される駆動軸２の下端部に抵抗バルブ及び主バルブを所定の順序で開閉させるカム５とこのカムを中心にその外周に３相各相に対応させて配置された抵抗バルブ及び主バルブをカム５の回動により開閉動作させる作動部とを備えた真空バルブ開閉機構３０と、カム５の上方に駆動軸２と同軸的に切換スイッチＳの可動接点を駆動する可動部５０とを備える。【選択図】      図３
2008135651.tif 000002
【特許請求の範囲】
【請求項１】
タップ巻線のタップを選択する２個の可動接点を有するタップ選択器の前記各可動接点と変圧器の中性点との間にそれぞれ直列に接続して設けられた限流抵抗及び真空バルブからなる抵抗バルブと、
前記タップ選択器の各々の前記可動接点と前記限流抵抗との間にそれぞれ設けた固定接点と該固定接点の一方を選択する可動接点からなる切換スイッチと、
この切換スイッチの可動接点と前記中性点との間に接続された真空バルブからなる主バルブと、
からなる負荷時タップ切換器において、
鉛直に設けられ、蓄勢装置により回動駆動される駆動軸と、
この駆動軸の下端部に取付けられ、前記駆動軸の回動により前記抵抗バルブ及び主バルブを所定の順序で開閉させるカムと、
このカムの外周部に前記駆動軸と平行に配置された抵抗バルブ及び主バルブに直結して設けられ、前記カムの回動により軸方向に作動して前記抵抗バルブ及び主バルブを開閉動作させる作動部を備えた真空バルブ開閉機構と、
前記駆動軸と同軸的に且つ前記カムの上方に配置され、前記駆動軸の動作に連動して前記切換スイッチの可動接点を駆動する可動部と
を備えたことを特徴とする負荷時タップ切換器。
【請求項２】
請求項１記載の負荷時タップ切換器において、
前記タップ巻線のタップを選択するタップ選択器の２個の可動接点と限流抵抗との間に、前記切換スイッチの固定接点と並列に接続される第２の固定接点と前記中性点に接続され、且つ前記第２の固定接点の一方を選択する第２の可動接点とを備えた通電接点を設け、
この通電接点の第２の固定接点を前記切換スイッチの固定接点の上方に配置し、
前記第２の可動接点を前記駆動軸と同軸的に且つ前記駆動軸の動作により駆動されるように配置する
ことを特徴とする負荷時タップ切換器。
【請求項３】
請求項１または請求項２記載の負荷時タップ切換器において、
前記各真空バルブと中性点あるいは前記通電接点とを接続する導体が、前記駆動軸と同軸的に配置されたことを特徴とする負荷時タップ切換器。
【請求項４】
タップ巻線のタップを選択する２個の可動接点を有するタップ選択器の前記各可動接点と変圧器の中性点との間にそれぞれ直列に接続して設けられた限流抵抗及び真空バルブからなる抵抗バルブと、
各々の前記可動接点と前記限流抵抗との間にそれぞれ設けた固定接点と該固定接点の一方を選択する可動接点からなる切換スイッチと、
この切換スイッチの可動接点と前記中性点との間に接続された真空バルブからなる主バルブと、
からなる負荷時タップ切換器において、
鉛直に設けられ、蓄勢装置により回動駆動される駆動軸と、
この駆動軸の上部に取付けられ、前記駆動軸の回動により前記抵抗バルブ及び主バルブを所定の順序で開閉させるカムと、
このカムの外周部に前記駆動軸と平行に配置された抵抗バルブ及び主バルブに直結して設けられ、前記カムの回動により軸方向に作動して前記抵抗バルブ及び主バルブを開閉動作させる作動部を備えた真空バルブ開閉機構と、
前記駆動軸と同軸的に且つ前記カムの下方に配置され、前記駆動軸の動作に連動して前記切換スイッチの可動接点を駆動する可動部と、
前記切変スイッチの可動部の外周上に配置した固定接点と、
を備え、
前記前記抵抗バルブ及び主バルブと前記中性点を接続する導体を前記駆動軸と同軸的に配置したことを特徴とする負荷時タップ切換器。
【請求項５】
請求項４記載の負荷時タップ切換器において、
前記タップ巻線のタップを選択するタップ選択器の２個の可動接点と限流抵抗との間に、前記切換スイッチの固定接点と並列に接続される第２の固定接点と前記中性点に接続され、且つ前記第２の固定接点の一方を選択する第２の可動接点とを備えた通電接点を設け、
この通電接点の第２の固定接点を前記切換スイッチの固定接点の下方に配置し、
前記第２の可動接点を前記駆動軸と同軸的に且つ前記駆動軸の動作により駆動されるように配置する
ことを特徴とする負荷時タップ切換器。
【請求項６】
請求項３乃至請求項５のいずれかに記載の負荷時タップ切換器において、
前記真空バルブと中性点を接続する導体に黄銅あるいは青銅を用いたことを特徴とする負荷時タップ切換器。
【請求項７】
請求項３乃至請求項６のいずれかに記載の負荷時タップ切換器において、
前記真空バルブと中性点を接続する導体に冷却用フィンあるいは冷却用溝を設けたことを特徴とする負荷時タップ切換器。
【発明の詳細な説明】
【技術分野】
【０００１】
本発明は、２抵抗３バルブ方式を用いた負荷時タップ切換器に関する。
【背景技術】
【０００２】
近年、負荷時タップ切換器を構成する切換開閉器は、遮断要素として真空バルブが使用されてきている。例えば、１相あたり２個の限流抵抗と４個の真空バルブを有する２抵抗４バルブ切換方式の切換開閉器がある（特許文献１）。
【０００３】
この２抵抗４バルブ切換方式の切換開閉器は、各々のタップに真空バルブを直列に２個接続するため、真空バルブ接点間の耐電圧保護に優れ、信頼性が高いが、３相を構成するのに真空バルブが１２個必要となり、切換開閉器の真空バルブが占めるスペースが大きく、絶対的に切換開閉器の寸法が大きくなる。
【０００４】
また、２抵抗４バルブ切換方式に対し、真空バルブが少ない切換方式として１相あたり１個の限流抵抗と２個の真空バルブを有する１抵抗２バルブ切換方式の切換開閉器（特許文献２、特許文献３）や、１相あたり１個の限流抵抗と３個の真空バルブを有する１抵抗３バルブ方式の切換開閉器が提案されている（特許文献４）。
【０００５】
しかし、１抵抗２バルブ切換方式の切換開閉器は、切換時に遮断回数が多い真空バルブの遮断電流が負荷電流と循環電流が重畳した大きい電流となることがあり、真空バルブのアーク接点の消耗を進めることがある。また、１抵抗３バルブ切換方式の切換開閉器は各々のタップに真空バルブが直接接続されることから、真空バルブの接点間の保護が必要となる。
【０００６】
そこで、真空バルブ接点間の絶縁低下による保護装置を必要とせず、３相で真空バルブが９個で済む１相あたり２個の限流抵抗と３個の真空バルブを有する２抵抗３バルブ方式の切換開閉器が提案されている（特許文献５、特許文献６）。
【特許文献１】特公昭６２−０１６００４号公報
【特許文献２】特許第３３５６４４６号公報
【特許文献３】特開平１１−２８３８４９号公報
【特許文献４】特開昭５７−１９４５０９号公報
【特許文献５】特公昭６１−０１５５６９号公報
【特許文献６】特公昭６１−０１８３３１号公報
【発明の開示】
【発明が解決しようとする課題】
【０００７】
しかし、これら２抵抗３バルブ方式の切換開閉器は、いずれも回路構成やタップ切換手順についてのものであり、２個の限流抵抗、３個の真空バルブ、切換スイッチ、これらを駆動する駆動軸、カム及び真空バルブの開閉機構などの配置構成や組合せを如何にすれば安定した切換動作と通電を可能にしてコンパクトにできるかという観点から捉えた実用的な構成のものがいまだ実現していないのが現状である。
【０００８】
本発明は上記のような事情に鑑みてなされたもので、２抵抗３バルブ切換方式を用いて安定した通電と確実な切換動作を実現できるコンパクトな負荷時タップ切換器を提供することを目的とする。
【課題を解決するための手段】
【０００９】
本発明は上記の目的を達成するため、次のような配置構成の負荷時タップ切換器とするものである。
【００１０】
本発明は、タップ巻線のタップを選択する２個の可動接点を有するタップ選択器の前記各可動接点と変圧器の中性点との間にそれぞれ直列に接続して設けられた限流抵抗及び真空バルブからなる抵抗バルブと、前記タップ選択器の各々の前記可動接点と前記限流抵抗との間にそれぞれ設けた固定接点と該固定接点の一方を選択する可動接点からなる切換スイッチと、この切換スイッチの可動接点と前記中性点との間に接続された真空バルブからなる主バルブとからなる負荷時タップ切換器において、鉛直に設けられ、蓄勢装置により回動駆動される駆動軸と、この駆動軸の下端部に取付けられ、前記駆動軸の回動により前記抵抗バルブ及び主バルブを所定の順序で開閉させるカムと、このカムの外周部に前記駆動軸と平行に配置された抵抗バルブ及び主バルブに直結して設けられ、前記カムの回動により軸方向に作動して前記抵抗バルブ及び主バルブを開閉動作させる作動部を備えた真空バルブ開閉機構と、前記駆動軸と同軸的に且つ前記カムの上方に配置され、前記駆動軸の動作に連動して前記切換スイッチの可動接点を駆動する可動部とを備える。
【００１１】
また、上記構成に加えて、タップ巻線のタップを選択するタップ選択器の２個の可動接点と限流抵抗との間に、前記切換スイッチの固定接点と並列に接続される第２の固定接点と前記中性点に接続され、且つ前記第２の固定接点の一方を選択する第２の可動接点とを備えた通電接点を設け、この通電接点の第２の固定接点を前記切換スイッチの固定接点の上方に配置し、第２の可動接点を前記駆動軸と同軸的に且つ前記駆動軸の動作により駆動されるように配置する。
【００１２】
さらに、本発明は、タップ巻線のタップを選択する２個の可動接点を有するタップ選択器の前記各可動接点と変圧器の中性点との間にそれぞれ直列に接続して設けられた限流抵抗及び真空バルブからなる抵抗バルブと、各々の前記可動接点と前記限流抵抗との間にそれぞれ設けた固定接点と該固定接点の一方を選択する可動接点からなる切換スイッチと、
この切換スイッチの可動接点と前記中性点との間に接続された真空バルブからなる主バルブとからなる負荷時タップ切換器において、鉛直に設けられ、蓄勢装置により回動駆動される駆動軸と、この駆動軸の上部に取付けられ、前記駆動軸の回動により前記抵抗バルブ及び主バルブを所定の順序で開閉させるカムと、このカムの外周部に前記駆動軸と平行に配置された抵抗バルブ及び主バルブに直結して設けられ、前記カムの回動により軸方向に作動して前記抵抗バルブ及び主バルブを開閉動作させる作動部を備えた真空バルブ開閉機構と、前記駆動軸と同軸的に且つ前記カムの下方に配置され、前記駆動軸の動作に連動して前記切換スイッチの可動接点を駆動する可動部と、前記切変スイッチの可動部の外周上に配置した固定接点とを備え、前記前記抵抗バルブ及び主バルブと前記中性点を接続する導体を前記駆動軸と同軸的に配置する。
【発明の効果】
【００１３】
本発明によれば、デッドスペースを有効に活用でき、コンパクトな配置が可能になると共に、駆動軸、カム、切換スイッチの全てを同軸で駆動するため、複雑な機構とならずに２抵抗３バルブ切換方式の安定した切換シーケンスを得ることができる。
【発明を実施するための最良の形態】
【００１４】
以下本発明の実施形態について図面を参照して説明する。
【００１５】
（第１の実施形態）
図１は、本発明の第１の実施形態である２抵抗３バルブ切換方式を用いた切換開閉器の切換回路図であり、図２はその切換シーケンスを示す図である。
【００１６】
図１において、ＴＷはタップ巻線を示し、タップ選択器の可動接点Ｍ１、Ｍ２がタップ間に接続されている。この可動接点Ｍ１、Ｍ２と３相変圧器の中性点Ｎの間には、可動接点Ｍ１、Ｍ２に限流抵抗Ｒ１と抵抗バルブＷ１、限流抵抗Ｒ２と抵抗バルブＷ２が直列にそれぞれ接続され、その一端は中性点Ｎに接続されている。
【００１７】
主バルブＨは、可動接点Ｍ１と限流抵抗Ｒ１の間に設けた固定接点Ｓ１と可動接点Ｍ２と限流抵抗Ｒ２の間に設けた固定接点Ｓ２のいずれか一方を選択的に可動接点ＳＭと接続され、主バルブＨの一端は中性点Ｎに接続されている。
【００１８】
これら２個の抵抗バルブと主バルブは、それぞれ真空バルブが用いられている。
【００１９】
図１は図２（ａ）に（イ）〜(ト)で示した切換過程を順に追って示したものである。以下その切換動作について説明する。
【００２０】
いま、（イ）に示すように主バルブＨおよび抵抗バルブＷ１は閉極し、切換スイッチＳの可動接点ＳＭが固定接点Ｓ１に接続され、タップ選択器のタップ端子Ｍ１がタップ巻線に接続された運転状態にあるものとする。このとき、負荷電流ＩＬは、点線のように中性点Ｎから主バルブＨ、切換スイッチＳの可動接点ＳＭ、固定接点Ｓ１、タップ巻線ＴＷという回路に流れる。
【００２１】
この状態から切換動作が開始すると、まず（ロ）に示すように主バルブＨが開く。このとき負荷電流ＩＬは、点線のように抵抗バルブＷ１、限流抵抗Ｒ１、タップ巻線ＴＷという回路に流れる。
【００２２】
次に（ハ）に示すように抵抗バルブＷ２が閉極すると、限流抵抗Ｒ２、抵抗バルブＷ２、抵抗バルブＷ１、限流抵抗Ｒ１を介して短絡回路が形成され、循環電流ＩＣが流れる。また、負荷電流ＩＬは中性点から、抵抗バルブＷ１、限流抵抗Ｒ１の回路と抵抗バルブＷ２、限流抵抗Ｒ２の回路に、限流抵抗Ｒ１、Ｒ２の抵抗比に見合って分流する。
【００２３】
その後、切換スイッチＳの可動接点ＳＭが(ニ)に示すように固定接点Ｓ１から固定接点Ｓ２へと移動を開始する。
【００２４】
続いて、（ホ）に示すように抵抗バルブＷ１が開極する。このとき負荷電流ＩＬは、点線のように抵抗バルブＷ２、限流抵抗Ｒ２、タップ巻線ＴＷという回路に流れる。
【００２５】
そして、切換スイッチＳの可動接点ＳＭが（へ）に示すように固定接点Ｓ２へと移動を完了する。
【００２６】
最後に（ト）に示すように主バルブＨが閉極し、負荷電流ＩＬを中性点Ｎから主バルブＨ、切換スイッチＳの可動接点ＳＭ、固定接点Ｓ２、タップ巻線ＴＷという回路に移す。
【００２７】
これで、切換動作を完了し、図示の状態で運転を継続する。
【００２８】
また、次のタップへの切換動作は図２（ｂ）に示す（ト）から（イ）への順で行われる。
【００２９】
この切換方式では、タップ選択器の可動接点Ｍ１、Ｍ２にそれぞれに限流抵抗Ｒ１と限流抵抗Ｒ２が接続されているため、真空バルブ極間に過電圧が印加されても、常に限流抵抗Ｒ１あるいはＲ２を介してタップ間短絡回路を形成することになり、真空バルブの接点間の耐電圧保護装置を必要としない。
【００３０】
また、遮断回数の多い主バルブＨの遮断電流の最大値は負荷電流ＩＬであり、主バルブの遮断電流の最大値を抑えることができる。万が一、図１（ハ）の状態において、主バルブＨの遮断失敗が生じても、切換スイッチＳにより強制的に回路を開くことができるので、切換スイッチにおいて電流遮断が可能となり、信頼性の高い切換能力を有している。
【００３１】
次に本発明の２抵抗３バルブ切換方式を用いた負荷時タップ切換器の実施形態の具体的構成について図３〜図９を用いて説明する。
【００３２】
図３は、２抵抗３バルブ切換方式を用いた切換開閉器の断面図、図４（ａ），（ｂ）は真空バルブ開閉機構部の一部を拡大して示す断面図であり、図５〜図８はそれぞれ図３におけるＡ−Ａ線、Ｂ−Ｂ線、Ｃ−Ｃ線、Ｄ−Ｄ線に沿う矢視断面図である。また、図９は各可動接点に用いるスライド接点の詳細図である。
【００３３】
図３において、１は図示しない電動操作機構からの動力を受けてばねを蓄勢し、所定のエネルギを蓄勢した後、瞬発的にそのエネルギを放勢する蓄勢装置である。２はこの蓄勢装置１の出力軸に直結された駆動軸で、この駆動軸２は鉛直方向に適宜離間させて水平にそれぞれ設けられた上部プレート３及び下部プレート４、６の中心部にベアリング３ａ、４ａ、６ａによって回動自在に軸支されている。
【００３４】
この駆動軸２の下部プレート４，６間に対応する軸下部には、真空バルブＨ、Ｗ1、Ｗ２を開閉するカム５が取付けられ、このカム５にはその円周方向の適宜箇所を上下方向に変位させた溝５ａ、５ｂが上下２段に形成されている。このカム５近傍の外周囲部に図５にＵ、Ｖ、Ｗで示すように３相各相に対応する真空バルブ開閉機構３０が設けられている。
【００３５】
この真空バルブ開閉機構部３０は、固定接点３２及び可動接点３１を有する真空バルブＨ、Ｗ１、Ｗ２が駆動軸１を中心とする円周上に等間隔を存して配置され、この真空バルブの可動接点３１には図４（ａ），（ｂ）に示したように開閉ボス２４が取付け固定されている。
【００３６】
この開閉ボス２４は導通を確保するとともに、開閉動作の際には作動力を受ける役割を持っている。開閉ボス２４の内側凹所内にはワイプバネ２５が設けられ、その一端を後述する駆動ボス２０に、他端を開閉ボス２４の孔底面に当接して駆動ボス２０の動きに応じて通電に必要な接触力を可動接点３１に与えている。
【００３７】
駆動ボス２０は、カム５に対し垂直方向に抜ける貫通孔を有し、且つカム５に対応する側面に溝５ａ，５ｂに係合するカムフォロア２１が回動自在に取付けられたもので、この駆動ボス２０はその貫通孔を通して両端部が下部プレート４，６にそれぞれ固定された２本の案内棒２９に挿通させて直進ガイド２８を介して上下動可能に設けられ、カム５の回転動作が平滑に行われるように支持されている。
【００３８】
また、開閉ボス２４の側面には可撓導線２３が接続され、これら可撓導線２３は図５に示すようにそれぞれ中性点リングＮＲに接続されている。
【００３９】
一方、駆動軸２の外周部には空転機構４０と可動部５０から成る切換スイッチＳが配置されている。
【００４０】
空転機構４０は、駆動軸２に連結キー１１により固定された第１のカップリング１０と、このカップリング１０と空転動作を行わせる第２のカップリング５１とを備えている。第１のカップリング１０は、図６に示すように凸部を有している。また、第２のカップリング５１は、第１のカップリング１０と同軸的に設けられ、且つ絶縁軸５３に固定された従動側となるもので、この第２のカップリング５１は、第１のカップリング１０の凸部が係合する第１の凹溝５１ａを有し、この第１の凹溝５１ａと第１のカップリング１０の凸部間には空転角度θが設けられ、この空転角度θによる遅れ動作によって主バルブＨの遮断から切換スイッチＳの導通が離れるまでの時間を大きく取ることが可能になっている。
【００４１】
また、可動部５０は、図７、図８に示すように空転機構４０の第２のカップリング５１と連結された絶縁軸５３と、この絶縁軸５３の周面に３相各相に対応させて取付けられた集電リングＳ０と、主バルブＨの固定接点３２に取付けられた通電台７１に固定され、この通電台を通電路として集電リングＳ０に摺動接触するスライド接点７０と、このスライド接点７０の上方の集電リングＳ０に固定されスライド接点７０を有した可動接点ＳＭとで構成され、固定接点Ｓ１、Ｓ２を可動部５０の回動に伴って選択可能になっている。
【００４２】
さらに、中性点リングＮＲには図３及び図５に示すように接続導体ＮＢが取付けられ、接続導体ＮＢは中性点端子ＮＰに直結されている。
【００４３】
切換スイッチＳの固定接点Ｓ１、Ｓ２は、それぞれ接点台９１、９２を介して端子Ｍ１Ｐ、Ｍ２Ｐに接続され、これら端子Ｍ１Ｐ、Ｍ２Ｐは図示していないタップ選択器のそれぞれの隣接するタップの可動接点Ｍ１、Ｍ２に接続される。
【００４４】
上記スライド接点７０は、図９に示すように板状の銅箔を数十枚重ね合せた可撓銅箔６８をその一端の片面より接点６４を固着し、この接点６４と逆側の一端で接点６４を固着した面と同じ側面に通電座金６３を当て図７に示すように通電台７１に固定する。接点６４、通電座金６３と逆側の面には、それぞれの固定接点あるいは集電リングＳ０をスライド接点７０で挟持した状態で接触荷重が働くように板ばね６２が取付けられている。
【００４５】
次に上記のように構成された負荷時タップ切換器の動作を図１０乃至図１８により説明する。
【００４６】
図１０（ａ）はタップＴ１における正規運転状態であり、溝５ｂにより抵抗バルブＷ１が閉、抵抗バルブＷ２が開、溝５ａにより主バルブＨが閉の状態にある。図１０（ｂ）は切換を完了し、タップＴ２における正規運転状態を示し、抵抗バルブＷ１が開、抵抗バルブＷ２が閉、主バルブＨが閉の状態にある。
【００４７】
このときの切換動作シーケンスは図２に示した通りである。以下その動作について図１１乃至図１８を用いて説明する。
【００４８】
各図の（ａ）は図１に対応した回路図、（ｂ）はカム５と主バルブＨ、抵抗バルブＷ１、Ｗ２の動作状態、（ｃ）は切換スイッチＳの可動接点ＳＭと固定接点Ｓ１、Ｓ２の接触状態、（ｄ）は切換スイッチＳにおける通電台７１に取付けたスライド接点７０と集電リングＳ０の状態、（ｅ）は空転機構４０の動作状態を示している。
【００４９】
なお、各々の可動接点はスライド接点７０の可撓銅箔６１と接点６４のみを図示した。
【００５０】
図１１はタップＴ１における運転状態を示し、主バルブＨ、抵抗バルブＷ１が閉じ、抵抗バルブＷ２が開極し、切換スイッチＳの可動接点ＳＭは固定接点Ｓ１を選択している。
【００５１】
この状態で駆動軸２が回動すると、図１２（ｂ）に示すようにカムフォロア２１が溝５ａの傾斜面に沿って移動し、主バルブＨが開き始める。この時、切換スイッチ空転機構４０の第１のカップリング１０が回転するが、空転部５１ａにカップリング１０があるため、第２のカップリング５１は静止したままであり、切換スイッチ可動部５０の集電リングＳ０は回転せず、切換スイッチの可動接点ＳＭは固定接点Ｓ１に接触したままである（図１２（ｃ）〜（ｅ））。
【００５２】
次いで、図１３（ｂ）に示すようにカムフォロア２１が溝５ｂの傾斜面に沿って移動し、抵抗バルブＷ２が閉極し始める。このとき、主バルブＨのカムフォロア２１は傾斜をくだりきって、水平面を移動し、主バルブＨは完全に開極する。また、切換スイッチ空転機構４０の第１のカップリング１０と第２のカップリング５１が契合し、絶縁軸５３を介して切換スイッチの可動部の集電リングＳ０を介して可動接点ＳＭとが回動を行う（図１３（ｃ）〜（ｅ））。
【００５３】
駆動軸２の回転が続き、図１４（ｂ）に示すように抵抗バルブＷ２のカムフォロア２１が溝５ｂの傾斜を登りきると、図１４（ｃ）のように切換スイッチの可動接点ＳＭは固定接点Ｓ１から離れる。
【００５４】
その後、図１５（ｂ）に示すように真空バルブＶ２のカムフォロア２１が溝５ｂの傾斜をくだり、抵抗バルブＷ１が開極する。このとき、主バルブＨは開、抵抗バルブＷ２は閉の状態にある。
【００５５】
次に切換スイッチの可動接点ＳＭが固定接点Ｓ２と接触する（図１６（ｃ））。このとき、主バルブＨは開、抵抗バルブＷ１は開、抵抗バルブＷ２が閉の状態にある（図１６（ｂ））。
【００５６】
さらに、駆動軸２がカム５を回転させると、主バルブＨのカムフォロア２１はカム溝５aの傾斜を登り、閉極する（図１７（ｂ））。このとき、切換スイッチの可動接点ＳＭは完全に固定接点Ｓ２と接触している（図１７（ｃ））。
【００５７】
切換が完了し、タップＴ２による運転状態となる（図１８（ａ））。このとき、主バルブＨは閉、抵抗バルブＷ１は開、抵抗バルブＷ２は閉の状態である（図１８（ｂ））。
【００５８】
以上の説明はタップＴ１からＴ２への切換動作であるが、タップＴ２からＴ１への切換は前述と逆動作となるだけなので、ここではその説明を省略する。
【００５９】
このように本発明の第１の実施形態では、真空バルブの開閉機構３０は真空バルブに開閉動作を伝達するカム５を中心にその外周に３相各相に対応する真空バルブを円周方向に等間隔に配置し、カム５の真上に切換スイッチＳを、その回転部を駆動軸に同軸的に取付ける構成としたので、デッドスペースを有効に活用でき、コンパクトな配置が可能であるとともに、駆動軸２と、カム５、切換スイッチＳすべてを同軸で駆動するため、複雑な機構とならずに２抵抗３バルブ切換方式の安定した切換シーケンスを得ることができる。
【００６０】
また、カム５を駆動軸２の下端に配置し、その上方に真空バルブ、切換スイッチＳを配置することにより、タップ選択器のそれぞれの隣接するタップの可動接点Ｍ１、Ｍ２に接続される端子Ｍ１Ｐ、Ｍ２Ｐを上方に配置することができる。
【００６１】
ところで、上記端子Ｍ１Ｐ、Ｍ２Ｐはワイプばね等により、切換開閉器を変圧器と隔離した容器に設けた固定接点に半径方向に接圧され、容器固定接点を介してタップ選択器の可動接点Ｍ１、Ｍ２と接続する場合がある。
【００６２】
通常、切換開閉器は容器上部に設けたフランジに吊り下げ固定するため、切換開閉器を斜めに取付けした場合、端子Ｍ１Ｐ、Ｍ２Ｐに十分なワイプ量、荷重を与えないと端子Ｍ１Ｐ、Ｍ２Ｐと容器固定接点が不完全接触となる可能性がある。
【００６３】
したがって、上記のように端子Ｍ１Ｐ、Ｍ２Ｐが上下方向位置で切換開閉器を固定する容器上部から近いところに位置しているので、この影響を受けにくくなるというメリットがある。
【００６４】
本発明における切換開閉器では端子Ｍ１Ｐ、Ｍ２Ｐを上方に配置することができるため、切換開閉器が斜めになることによる不完全接触の影響を軽減でき、安定した通電ができる。
【００６５】
以上のことから本発明の第１の実施形態によれば、２抵抗３バルブ切換方式を用いた安定した切換動作と通電を実現するコンパクトな切換開閉器を提供することができる。
【００６６】
（第２の実施形態）
図１９は、本発明の第２の実施形態である２抵抗３バルブ切換方式を用いた切換開閉器の切換回路図である。また、図２０はその切換シーケンスを示す図である。
【００６７】
図１９において、ＴＷはタップ巻線を示し、タップ選択器の可動接点Ｍ１、Ｍ２がタップ間に接続されている。この可動接点Ｍ１、Ｍ２と中性点Ｎの間には、可動接点Ｍ１、Ｍ２それぞれに限流抵抗Ｒ１と抵抗バルブＷ１、および限流抵抗Ｒ２と抵抗バルブＷ２が直列に接続され、その一端は中性点Ｎで接続されている。
【００６８】
主バルブＨは、可動接点Ｍ１と限流抵抗Ｒ１の間に設けた固定接点Ｓ１と可動接点Ｍ２と限流抵抗Ｒ２の間に設けた固定接点Ｓ２のいずれか一方を選択する可動接点ＳＭと接続され、主バルブＨの一端は中性点Ｎに接続されている。
【００６９】
また、中性点Ｎには、可動接点Ｍ１と限流抵抗Ｒ１の間に通電接点ＣＳの固定接点ＣＳ１と、可動接点Ｍ２と限流抵抗Ｒ２の間に通電接点ＣＳの固定接点ＣＳ２のいずれか一方を選択的に接続を可能にした通電接点ＣＳの可動接点ＣＳＭが接続されている。
【００７０】
図１９は図２０（ａ）に（イ）〜(リ)で示した切換過程を順に追って示したものである。以下その切換動作について説明する。
【００７１】
いま、(イ)に示すように主バルブＨおよび抵抗バルブＷ１は閉極し、切換スイッチＳの可動接点ＳＭが固定接点Ｓ１に接続され、通電接点ＣＳの可動接点ＣＳＭが固定接点ＣＳ１に接続され、タップ選択器Ｍ１がタップ巻線に接続された運転状態にあるものとする。このとき、負荷電流ＩＬは、点線のように中性点Ｎから主バルブＨ、切換スイッチＳの可動接点ＳＭ、固定接点Ｓ１、タップ巻線ＴＷという回路と、中性点Ｎから通電接点そとの可動接点ＣＳＭ、固定接点ＣＳ１、タップ巻線ＴＷという回路に分流する。
【００７２】
この状態から切換動作が開始すると、まず（ロ）に示すように通電接点ＣＳの可動接点ＣＳＭが固定接点ＣＳ１から開離する。このとき負荷電流ＩＬは点線のように中性点Ｎから主バルブＨ、切換スイッチＳの可動接点ＳＭ、固定接点Ｓ１、タップ巻線ＴＷという回路に流れる。
【００７３】
次に（ハ）に示すように主バルブＨが開く。このとき、負荷電流ＩＬは、点線のように抵抗バルブＷ１、限流抵抗Ｒ１、タップ巻線ＴＷという回路に流れる。
【００７４】
続いて、抵抗バルブＷ２が閉極すると、(ニ)に示すように限流抵抗Ｒ２、抵抗バルブＷ２、抵抗バルブＷ１、限流抵抗Ｒ１を介して短絡回路が形成され、循環電流ＩＣが流れる。また、負荷電流ＩＬは中性点から、抵抗バルブＷ１、限流抵抗Ｒ１の回路と抵抗バルブＷ２、限流抵抗Ｒ２の回路に、限流抵抗Ｒ１、Ｒ２の抵抗比に見合って分流する。
【００７５】
その後、切換スイッチＳの可動接点ＳＭが（ホ）に示すように固定接点Ｓ１から固定接点Ｓ２へと移動を開始する。
【００７６】
次いで、（ヘ）に示すように抵抗バルブＷ１が開極する。このとき、負荷電流ＩＬは、点線のように抵抗バルブＷ２、限流抵抗Ｒ２、タップ巻線ＴＷという回路に流れる。
【００７７】
そして、切換スイッチＳの可動接点ＳＭが(ト)に示すように固定接点Ｓ２へと移動を完了する。
【００７８】
次に（チ）に示すように主バルブＨが閉極し、負荷電流ＩＬを中性点Ｎから主バルブＨ、切換スイッチＳの可動接点ＳＭ、固定接点Ｓ２、タップ巻線ＴＷという回路に移る。
【００７９】
最後に（リ）に示すように通電接点ＣＳの可動接点ＣＳＭが固定接点ＣＳ２に接続され、負荷電流ＩＬは、点線のように中性点Ｎから主バルブＨ、切換スイッチＳの可動接点ＳＭ、固定接点Ｓ２、タップ巻線ＴＷという回路と、中性点Ｎから通電接点ＣＳの可動接点ＣＳＭ、接点ＣＳ２、タップ巻線ＴＷという回路に分流する。
【００８０】
これで、切換動作を完了し、図示の状態で運転を継続する。
【００８１】
また、次のタップへの切換動作は図２０（ｂ）に示す(リ)から(イ)への順で行われる。
【００８２】
この切換方式では、タップ選択器の可動接点Ｍ１、Ｍ２にそれぞれに限流抵抗Ｒ１と限流抵抗Ｒ２が接続されているため、真空バルブ極間に過電圧が印加されても、常に限流抵抗Ｒ１あるいはＲ２を介してタップ間短絡回路を形成することになり、真空バルブの接点間の耐電圧保護装置を必要としない。
【００８３】
また、遮断回数の多い主バルブＨの遮断電流の最大値は負荷電流ＩＬであり、主バルブの遮断電流の最大値を抑えることができる。万が一、図１９（ハ）の状態において、主バルブＨの遮断失敗が生じても、切換スイッチＳにより強制的に回路を開くことができるので、切換スイッチＳにおいて電流遮断が可能となり、信頼性の高い切換能力を有している。
【００８４】
さらに、上述したように、通電接点ＣＳを設けることにより、常時の運転状態（図１９（イ）あるいは（リ））で負荷電流ＩＬが通電接点ＣＳの固定接点ＣＳ１と主バルブＨあるいは通電接点ＣＳの固定接点ＣＳ２と主バルブＨに分流する。主バルブＨのみで負荷電流ＩＬを通電する場合、通電状態における温度上昇を抑えるため、主バルブＨの電極間の接触荷重を大きくし、電極間での接触抵抗を小さくする必要がある。
【００８５】
常時の運転状態（図１９（イ）あるいは（リ））における負荷電流ＩＬを通電接点ＣＳの固定接点ＣＳ１と主バルブＨあるいは通電接点ＣＳの固定接点ＣＳ２と主バルブＨに分流できれば、主バルブの接触荷重および通電接点における接点接触荷重を低く抑えることができるため、切換開閉器の駆動機構部が簡素化できる。また、主バルブＨには通電能力を無視し、遮断能力が優れた真空バルブを採用することができる。
【００８６】
次に本発明による２抵抗３バルブ切換方式を用いた負荷時タップ切換器の第２の実施形態について図２１及び図２２を用いて述べるに、図３と同一部分には同一符号を付してその説明を省略し、ここでは異なる部分の構成について説明する。
【００８７】
図２１は、２抵抗３バルブ切換方式を用いた切換開閉器の断面図、図２２は図２１におけるＥ−Ｅ線に沿う矢視断面図である。なお、図２１のＡ−Ａ線、Ｂ−Ｂ線、Ｃ−Ｃ線、Ｄ−Ｄ線に沿う矢視断面図は、第１の実施形態の図５〜図８と同じなので、これらの図示は省略する。また、真空バルブ開閉機構の拡大図は図４と、各可動接点に用いるスライド接点の詳細図も図９と同じなのでこれらの図示も省略する。
【００８８】
第２の実施形態では、図２１に示すように可動部５０より上方の駆動軸２に通電接点の可動部８０を連結キー１２により固定し、この通電接点の可動部８０と図５に示すように中性点リングＮＲに電気的に通電可能に取付けられた接続導体ＮＢに中性点端子ＮＰと共に直結され、且つ上部プレート３の下面に取付けた中性点接点台Ｎ１とを図２２に示すように可撓導線１２３により接続する。
【００８９】
この通電接点の可動部８０は、図９と同様の構成のスライド接点７０を有する可動接点ＣＳＭを備え、この可動接点ＣＳＭの回動に伴い、接点台９１，９２の下面に取付けられた切換スイッチＳの固定接点Ｓ１，Ｓ２と平行に接点台９１，９２の上面に取付けられた通電接点ＣＳの固定接点ＣＳ１，ＣＳ２を選択可能になっている。
【００９０】
これら切換スイッチＳ及び通電接点ＣＳの固定接点Ｓ１とＣＳ１、Ｓ２とＣＳ２は、それぞれ接点台９１、９２を介して端子Ｍ１Ｐ、Ｍ２Ｐに接続され、端子Ｍ１Ｐ、Ｍ２Ｐは図示していないタップ選択器のそれぞれの隣接するタップの可動接点Ｍ１、Ｍ２に接続される。
【００９１】
次に上記のように構成された負荷時タップ切換器の動作を図２３から図３２により説明する。
【００９２】
図２３（ａ）はタップＴ１における正規運転状態であり、カム溝５ｂにより抵抗バルブＷ１が閉、抵抗バルブＷ２が開、カム溝５ａにより主バルブＨが閉の状態にある。図２３（ｂ）は切換を完了し、タップＴ２における正規運転状態を示し、抵抗バルブＷ１が開、抵抗バルブＷ２が閉、主バルブＨが閉の状態にある。
【００９３】
このときの切換動作シーケンスは図２０に示した通りである。
【００９４】
以下その動作について図２４から図３２を用いて説明する。
【００９５】
各図の（ａ）は図１に対応した回路図、（ｂ）はカム５と主バルブＨ、抵抗バルブＷ１、Ｗ２の動作状態、（ｃ）は通電接点ＣＳにおける可動接点ＣＳＭの動作状態、（ｄ）は切換スイッチＳの可動接点ＳＭと固定接点Ｓ１、Ｓ２の接触状態、（e）は切換スイッチＳにおける通電台７１に取付けたスライド接点７０と集電リングＳ０の状態、（f）は空転機構４０の動作状態を示している。
【００９６】
なお、ここでは見やすいように、可撓導線１２３は図示せず、また、各々の可動接点はスライド接点７０の可撓銅箔６１と接点６４のみを図示した。
【００９７】
図２４はタップＴ１における運転状態を示し、主バルブＨ、抵抗バルブＷ１が閉じ、抵抗バルブＷ２が開極し、切換スイッチＳの可動接点ＳＭは固定接点Ｓ１を選択し、通電接点ＣＳの可動接点ＣＳＭは固定接点ＣＳ１を選択している。
【００９８】
この状態で駆動軸２が回動すると、通電接点ＣＳの可動接点ＣＳＭが固定接点ＣＳ１から開離する（図２５（ｃ））。これと同時にカム５も回転を始めるが、カム溝５ａの水平面にカムフォロア２１があるため、真空バルブの電極はまだ動かないままである（図２５（ｂ））。
【００９９】
この時、切換スイッチ空転機構４０の第１のカップリング１０が回転するが、空転部５１ａにカップリング１０があるため、第２のカップリング５１は静止したままであり、切換スイッチＳの可動部５０の集電リングＳ０は回転せず、切換スイッチＳの可動接点ＳＭは固定接点Ｓ１に接触したままである（図２５（ｄ）〜（ｆ））。
【０１００】
駆動軸２がさらに回転すると、図２６（ｂ）に示すようにカムフォロア２１がカム溝５ａの傾斜面に沿って移動し、主バルブＨが開き始める。このとき、通電接点ＣＳの可動接点ＣＳＭは図２６（ｃ）に示すように固定接点ＣＳ１から完全に開離している。また、空転機構４０のカップリング１０はまだ空転部５１ａにあるため、第２のカップリング５１は静止したままである（図２６（ｆ））。
【０１０１】
次いで、図２７（ｂ）に示すようにカムフォロア２１がカム溝５ｂの傾斜面に沿って移動すると、抵抗バルブＷ２が閉極し始める。このとき、主バルブＨのカムフォロア２１は傾斜を下りきって、水平面に移動し、主バルブＨは完全に開極する。また、切換スイッチ空転機構４０の第１のカップリング１０と第２のカップリング５１が係合し、絶縁軸５３及び切換スイッチＳの可動部の集電リングＳ０を介して可動接点ＳＭが回動を行う（図２７（ｄ）〜（ｆ））。
【０１０２】
駆動軸２の回転が続き、図２８（ｂ）に示すように抵抗バルブＷ２のカムフォロア２１が溝５ｂの傾斜を登りきると、図２８（ｄ）のように切換スイッチＳの可動接点ＳＭは固定接点Ｓ１から離れる。
【０１０３】
その後、図２９（ｂ）に示すように真空バルブＶ２のカムフォロア２１が溝５ｂの傾斜を下り、抵抗バルブＷ１が開極する。このとき、主バルブＨは開、抵抗バルブＷ２は閉の状態にある。
【０１０４】
次に切換スイッチＳの可動接点ＳＭが固定接点Ｓ２と接触する（図３０（ｄ））。このとき、主バルブＨは開、抵抗バルブＷ１は開、抵抗バルブＷ２が閉の状態にある（図３０（ｂ））。
【０１０５】
さらに、駆動軸２がカム５を回転させると、主バルブＨのカムフォロア２１はカム溝５ａの傾斜を登り、閉極する（図３１（ａ））。このとき、切換スイッチの可動接点ＳＭは完全に固定接点Ｓ２と接触しているが、通電接点ＣＳの可動接点ＣＳＭはまだ固定接点ＣＳ２に接触していない状態にある（図３１（ｃ）、（ｄ））。
【０１０６】
さらに、駆動軸２の回転が進むと、通電接点ＣＳの可動接点ＣＳＭが完全に固定接点ＣＳ２と接触状態になり、切換が完了し、タップＴ２による運転状態となる（図３２（ｃ））。このとき、主バルブＨは閉、抵抗バルブＷ１は開、抵抗バルブＷ２は閉の状態である（図３２（ｂ））。
【０１０７】
以上の説明はタップＴ１からＴ２への切換動作であるが、タップＴ２からＴ１への切換は前述と逆動作となるだけなので、ここではその説明を省略する。
【０１０８】
また、ここでは通電接点ＣＳの可動部８０は中性点端子ＮＰと中性点接点台Ｎ１に可撓導線１２３を介して接続しているが、スライド接点で接続することも可能であることは言うまでもない。
【０１０９】
このように本発明の第２の実施形態では、真空バルブの開閉機構３０は、真空バルブに開閉動作を伝達するカム５を中心にその外周に３相各相に対応する真空バルブを円周方向に等間隔に配置し、カム５の真上に切換スイッチＳを、さらにその上方に通電接点ＣＳを、その各々の回転部を駆動軸に同軸的に取付ける構成としたので、デッドスペースを有効に活用でき、コンパクトな配置が可能であるとともに、駆動軸２と、カム５、切換スイッチＳ及び通電接点ＣＳのすべてを同軸で駆動しているので、複雑な機構とならずに２抵抗３バルブ切換方式の安定した切換シーケンスを得ることができる。
【０１１０】
また、カム５を駆動軸２の下端に配置し、その上方に真空バルブ、切換スイッチＳ、通電接点ＣＳを配置することにより、タップ選択器のそれぞれの隣接するタップの可動接点Ｍ１、Ｍ２に接続される端子Ｍ１Ｐ、Ｍ２Ｐを上方に配置することができる。
【０１１１】
ところで、端子Ｍ１Ｐ、Ｍ２Ｐはワイプばね等により、切換開閉器を変圧器と隔離した容器に設けた固定接点に半径方向に接圧され、容器側の固定接点を介してタップ選択器の可動接点Ｍ１、Ｍ２と接続する場合がある。
【０１１２】
通常、切換開閉器は容器上部に設けたフランジに吊り下げ固定するため、切換開閉器を斜めに取付けた場合、端子Ｍ１Ｐ、Ｍ２Ｐに十分なワイプ量、荷重を与えないと端子Ｍ１Ｐ、Ｍ２Ｐと容器側の固定接点が不完全接触となる可能性がある。
【０１１３】
しかしながら、上記のように端子Ｍ１Ｐ、Ｍ２Ｐが上下方向位置で切換開閉器を固定する容器上部から近いところに配置しているので、この影響を受けにくくなるというメリットがある。
【０１１４】
本発明における切換開閉器では、端子Ｍ１Ｐ、Ｍ２Ｐを上方に配置することができるため、切換開閉器が斜めになることによる不完全接触の影響を軽減でき、安定した通電ができる。
【０１１５】
このように本発明の第２の実施形態によれば、２抵抗３バルブ切換方式を用いた安定した通電と切換動作を実現するコンパクトな切換開閉器を提供することができる。
【０１１６】
（第３の実施形態）
図３３は、本発明の第３の実施形態である２抵抗３バルブ切換方式を用いた切換開閉器の切換回路図である。また、その切換シーケンスは図２０と同様である。
【０１１７】
図３３において、ＴＷはタップ巻線を示し、タップ選択器の可動接点Ｍ１、Ｍ２がタップ間に接続されている。この可動接点Ｍ１、Ｍ２と３相変圧器の中性点Ｎの間には、可動接点Ｍ１、Ｍ２に限流抵抗Ｒ１と抵抗バルブＷ１、限流抵抗Ｒ２と抵抗バルブＷ２がそれぞれ直列に接続され、その一端は中性点Ｎで接続されている。
【０１１８】
主バルブＨは、タップ選択器の可動接点Ｍ１と限流抵抗Ｒ１との間に設けた切換スイッチＳの固定接点Ｓ１と、タップ選択器の可動接点Ｍ２と限流抵抗Ｒ２との間に設けた切換スイッチＳの固定接点Ｓ２のいずれか一方を選択する可動接点ＳＭと接続され、主バルブＨの一端は中性点Ｎに接続されている。
【０１１９】
また、タップ選択器の可動接点Ｍ１と限流抵抗Ｒ１との間に通電接点ＣＳの固定接点ＣＳ１と、タップ選択器の可動接点Ｍ２と限流抵抗Ｒ２との間に通電接点ＣＳの固定接点ＣＳ２とを設け、３つの真空バルブＨ、Ｗ１、Ｗ２と中性点Ｎとの間に設けた通電接点ＣＳの可動接点ＣＳＭにより、通電接点ＣＳの固定接点ＣＳ１と通電接点固定接点ＣＳ２のいずれか一方を選択的に接続できるようになっている。
【０１２０】
図３３は図２０（ａ）の（イ）〜(リ)で示した切換過程を順に追って示したものと同様である。以下その切換動作について説明する。
【０１２１】
いま、(イ)に示すように主バルブＨおよび抵抗バルブＷ１は閉極し、切換スイッチＳの可動接点ＳＭが固定接点Ｓ１に接続され、通電接点ＣＳの可動接点ＣＳＭが固定接点ＣＳ１に接続され、タップ選択器のタップ端子Ｍ１がタップ巻線に接続された運転状態にあるものとする。このとき、負荷電流ＩＬは、点線のように中性点Ｎから通電接点ＣＳの可動接点ＣＳＭを介して主バルブＨ、切換スイッチＳの可動接点ＳＭ、固定接点Ｓ１、タップ巻線ＴＷという回路と、中性点Ｎから通電接点ＣＳの可動接点ＣＳＭ、固定接点ＣＳ１、タップ巻線ＴＷという回路に分流する。
【０１２２】
この状態から切換動作が開始すると、まず（ロ）に示すように通電接点ＣＳの可動接点ＣＳＭが固定接点ＣＳ１から開離する。このとき、負荷電流ＩＬは点線のように中性点Ｎから主バルブＨ、切換スイッチＳの可動接点ＳＭ、固定接点Ｓ１、タップ巻線ＴＷという回路に流れる。
【０１２３】
次に（ハ）に示すように主バルブＨが開く。このとき、負荷電流ＩＬは、点線のように抵抗バルブＷ１、限流抵抗Ｒ１、タップ巻線ＴＷという回路に流れる。
【０１２４】
続いて、抵抗バルブＷ２が閉極すると、(ニ)に示すように限流抵抗Ｒ２、抵抗バルブＷ２、抵抗バルブＷ１、限流抵抗Ｒ１を介して短絡回路が形成され、循環電流ＩＣが流れる。また、負荷電流ＩＬは中性点から、抵抗バルブＷ１、限流抵抗Ｒ１の回路と抵抗バルブＷ２、限流抵抗Ｒ２の回路に限流抵抗Ｒ１、Ｒ２の抵抗比に見合って分流する。
【０１２５】
その後、切換スイッチＳの可動接点ＳＭが（ホ）に示すように固定接点Ｓ１から固定接点Ｓ２へと移動を開始する。
【０１２６】
次いで、(ヘ)に示すように抵抗バルブＷ１が開極する。このとき、負荷電流ＩＬは、点線のように抵抗バルブＷ２、限流抵抗Ｒ２、タップ巻線ＴＷという回路に流れる。
【０１２７】
そして、切換スイッチＳの可動接点ＳＭが(ト)に示すように固定接点Ｓ２へと移動を完了する。
【０１２８】
次に(チ)に示すように主バルブＨが閉極し、負荷電流ＩＬを中性点Ｎから主バルブＨ、切換スイッチＳの可動接点ＳＭ、固定接点Ｓ２、タップ巻線ＴＷという回路に移る。
【０１２９】
最後に（リ）に示すように通電接点ＣＳの可動接点ＣＳＭが通電接点固定接点ＣＳ２に接続され、負荷電流ＩＬは、点線のように中性点Ｎから通電接点ＣＳの可動接点ＣＳＭを介して主バルブＨ、切換スイッチＳの可動接点ＳＭ、固定接点Ｓ２、タップ巻線ＴＷという回路と、中性点Ｎから通電接点ＣＳの可動接点ＣＳＭ、接点ＣＳ２、タップ巻線ＴＷという回路に分流する。
【０１３０】
これで、切換動作を完了し、図示の状態で運転を継続する。
【０１３１】
また、次のタップへの切換動作は図２０（ｂ）に示す(リ)から(イ)への順で行われる。
【０１３２】
この切換方式では、タップ選択器の可動接点Ｍ１、Ｍ２にそれぞれに限流抵抗Ｒ１と限流抵抗Ｒ２が接続されているため、真空バルブ極間に過電圧が印加されても、常に限流抵抗Ｒ１あるいはＲ２を介してタップ間短絡回路を形成することになり、真空バルブの接点間の耐電圧保護装置を必要としない。
【０１３３】
また、遮断回数の多い主バルブＨの遮断電流の最大値は負荷電流ＩＬであり、主バルブの遮断電流の最大値を抑えることができる。万が一、図３３（ハ）の状態において、主バルブＨの遮断失敗が生じても、切換スイッチＳにより強制的に回路を開くことができるので、切換スイッチＳにおいて電流遮断が可能となり、信頼性の高い切換能力を有している。
【０１３４】
さらに、上述したように、通電接点ＣＳを設けることにより、常時の運転状態（図３３（イ）あるいは(リ)）で負荷電流ＩＬが通電接点ＣＳの固定接点ＣＳ１と主バルブＨあるいは通電接点ＣＳの固定接点ＣＳ２と主バルブＨに分流する。主バルブＨのみで負荷電流ＩＬを通電する場合、通電状態における温度上昇を抑えるため、主バルブＨの電極間の接触荷重を大きくし、電極間での接触抵抗を小さくする必要がある。
【０１３５】
常時の運転状態（図３３（イ）あるいは（リ））における負荷電流ＩＬを通電接点ＣＳの固定接点ＣＳ１と主バルブＨあるいは通電接点ＣＳの固定接点ＣＳ２と主バルブＨに分流できれば、主バルブの接触荷重および通電接点における接点接触荷重を低く抑えることができるため、切換開閉器の駆動機構部が簡素化できる。また、主バルブＨには通電能力を無視し、遮断能力が優れた真空バルブを採用することができる。
【０１３６】
次に本発明による２抵抗３バルブ切換方式を用いた負荷時タップ切換器の第３の実施形態について図３４乃至図４０を用いて説明する。
【０１３７】
図３４は２抵抗３バルブ切換方式を用いた切換開閉器の断面図、図３５乃至図４０はそれぞれ図３４におけるＡ−Ａ線、Ｂ−Ｂ線、Ｃ−Ｃ線、Ｄ−Ｄ線、Ｅ−Ｅ線、Ｆ−Ｆ線に沿う矢視断面図である。なお、真空バルブ開閉機構と、各可動接点に用いるスライド接点は図４及び図９と同じなので、これらの図示は省略して図４及び図９を流用することとする。
【０１３８】
図３４において、１は図示しない電動操作機構からの動力を受けてばねを蓄勢し、所定のエネルギを蓄勢した後、瞬発的にそのエネルギを放勢する蓄勢装置である。２はこの蓄勢装置１の出力軸に直結された駆動軸で、この駆動軸２は鉛直方向に適宜離間させて水平にそれぞれ設けられた上部プレート３及び下部プレート４の中心部にベアリング３ａ、４ａによって回動自在に軸支されている。なお、図３、図２１で示した下部プレート６の中心部に軸支するベアリング６ａを省略しているが、このベアリング６ａを設けた方が望ましいことは言うまでもない。
【０１３９】
この駆動軸２の下部プレート４，６間に対応する軸下部には、真空バルブＨ、Ｗ1、Ｗ２を開閉するカム５が取付けられ、このカム５にはその円周方向の適宜箇所を上下方向に変位させたカム溝５ａ、５ｂが上下２段に形成されている。このカム５近傍の外周囲部に図３５にＵ、Ｖ、Ｗで示すように３相各相に対応する真空バルブ開閉機構３０が設けられている。
【０１４０】
この真空バルブ開閉機構部３０は、固定接点３２及び可動接点３１を有する真空バルブＨ，Ｗ１、Ｗ２が円周上に配置され、この真空バルブの可動接点３１には図４（ａ），（ｂ）に示したように開閉ボス２４が取付け固定されている。
【０１４１】
この開閉ボス２４は導通を確保するとともに、開閉動作の際には作動力を受ける役割を持っている。開閉ボス２４の内側凹所内にはワイプバネ２５が設けられ、その一端を後述する駆動ボス２０に、他端を開閉ボス２４の孔底面に当接して駆動ボス２０の動きに応じて通電に必要な接触力を可動接点３１に与えている。
【０１４２】
駆動ボス２０は、カム５に対し垂直方向に抜ける貫通孔を有し、且つカム５に対応する側面にカム溝５ａ，５ｂに係合するカムフォロア２１が回動自在に取付けられたもので、この駆動ボス２０はその貫通孔を通して両端部が下部プレート４，６にそれぞれ固定された２本の案内棒２９に挿通させて直進ガイド２８を介して上下動可能に設けられ、カム５の回転動作が平滑に行われるように支持されている。
【０１４３】
また、開閉ボス２４側面には可撓導線２３が接続され、これら可撓導線２３は図３６に示すようにそれぞれ中性点プレートＮＰＣに接続される。
【０１４４】
この中性点プレートＮＰＣには図３６に示すようにスライド接点７０が取付けられ、集電リングＮＳ０に摺動接触されている。この集電リングＮＳ０は、図３３に示すように駆動軸２に連結キー１００で固定された接続導体ＮＢに取付けられ、この接続導体ＮＢの他方には切換スイッチＳの上方で通電接点ＣＳの可動部８０が取付けられている。
【０１４５】
一方、接続導体ＮＢの外周部には空転機構４０と可動部５０から成る切換スイッチＳが配置されている。
【０１４６】
空転機構４０は、接続導体ＮＢに連結キー１１により固定された第１のカップリング１０と、このカップリング１０と空転動作を行わせる第２のカップリング５１とを備えている。第１のカップリング１０は、図３７に示すように凸部を有している。また、第２のカップリング５１は、第１のカップリング１０と同軸的に設けられ、且つ絶縁軸５３に固定された従動側となるもので、この第２のカップリング５１は、第１のカップリング１０の凸部が係合する第１の凹溝５１ａを有し、第１の凹溝５１ａと第１のカップリング１０の凸部間には空転角度θが設けられ、この空転角度θによる遅れ動作によって主バルブＨのしゃ断から切換スイッチＳの導通が離れるまでの時間を大きく取ることが可能になっている。
【０１４７】
また、可動部５０は、図３８、図３９に示すように空転機構４０の第２のカップリング５１と連結された絶縁軸５３と、この絶縁軸５３の周面に３相各相に対応させて取付けられた集電リングＳ０と、主バルブＨの固定接点３２に取付けられた通電台７１に固定され、この通電台を通電路として集電リングＳ０に摺動接触するスライド接点７０と、このスライド接点７０の上方の集電リングＳ０に固定され、スライド接点７０を有した可動接点ＳＭとで構成され、切換スイッチＳの固定接点Ｓ１、Ｓ２を可動部５０の回動に伴って選択可能になっている。
【０１４８】
さらに、通電接点ＣＳの可動部８０は、図４０に示すように中性点端子ＮＰと中性点接点台Ｎ１にスライド接点７０を介して電気的に接続されている。また、通電接点ＣＳの可動部８０は、可動接点ＣＳＭの回動に伴い、スライド接点７０を有した固定接点ＣＳ１、ＣＳ２を選択可能にしている。
【０１４９】
中性点端子ＮＰと中性点接点台Ｎ１に取付けたスライド接点７０は、通電接点ＣＳの可動接点ＣＳＭの回動を邪魔しないように、図３４に示すように通電接点の可動部８０を挟持して取付けられ、上下のスライド接点７０の間を可動接点ＣＳＭが潜りぬけられるようになっている。
【０１５０】
切換スイッチＳ及び通電接点ＣＳの固定接点Ｓ１とＣＳ１、Ｓ２とＣＳ２は、それぞれ接点台９１、９２を介し、端子Ｍ１Ｐ、Ｍ２Ｐに接続され、端子Ｍ１Ｐ、Ｍ２Ｐは図示していないタップ選択器のそれぞれの隣接するタップの可動接点Ｍ１、Ｍ２に接続される。
【０１５１】
上記スライド接点７０は図９に示した構成と同様なので、ここではその説明を省略する。
【０１５２】
次に上記のように構成された負荷時タップ切換器の動作を図４１乃至図５０により説明する。
【０１５３】
図４１（ａ）はタップＴ１における正規運転状態であり、カム溝５ｂにより抵抗バルブＷ１が閉、抵抗バルブＷ２が開、カム溝５ａにより主バルブＨが閉の状態にある。図４１（ｂ）は切換を完了し、タップＴ２における正規運転状態を示し、抵抗バルブＷ１が開、抵抗バルブＷ２が閉、主バルブＨが閉の状態にある。
【０１５４】
このときの切換動作シーケンスは図２０に示した通りである。以下その動作について図４２乃至図５０を用いて説明する。
【０１５５】
各図の（ａ）は図３３に対応した回路図、（ｂ）はカム５と主バルブＨ、抵抗バルブＷ１、Ｗ２の動作状態、（ｃ）は通電接点ＣＳにおける可動接点ＣＳＭの動作状態、（ｄ）は中性点プレートＮＰＣに取付けたスライド接点７０と集電リングＮＳ０の状態、（ｅ）は切換スイッチＳの可動接点ＳＭと固定接点Ｓ１、Ｓ２の接触状態、（ｆ）は切換スイッチＳにおける通電台７１に取付けたスライド接点７０と集電リングＳ０の状態、（ｇ）は空転機構４０の動作状態を示している。
【０１５６】
なお、ここでは見やすいように各々の可動接点は、スライド接点７０の可撓銅箔６１と接点６４のみを図示した。
【０１５７】
図４２はタップＴ１における運転状態を示し、主バルブＨ、抵抗バルブＷ１が閉じ、抵抗バルブＷ２が開極し、切換スイッチＳの可動接点ＳＭは固定接点Ｓ１を選択し、通電接点ＣＳの可動接点ＣＳＭは固定接点ＣＳ１を選択している。
【０１５８】
この状態で駆動軸２が回動すると、図４３（ｄ）に示すように駆動軸２に取付けられた接続導体ＮＢを介して集電リングＮＳ０が回動する。この集電リングＮＳ０が回動すると、接続導体ＮＢの他方（集電リングＮＳ０が取付けられた逆側）に取付けられた通電接点ＣＳの可動接点ＣＳＭも回動を行い、図４３（ｃ）に示すように固定接点ＣＳ１から開離する。また、カム５も回転を始めるが、カム溝５ａの水平面にカムフォロア２１があるため、図４３（ｂ）に示すように真空バルブの電極はまだ動かないままである。
【０１５９】
この時、切換スイッチ空転機構４０の第１のカップリング１０が回転するが、空転部５１ａにカップリング１０があるため、第２のカップリング５１は静止したままであり、切換スイッチＳの可動部５０の集電リングＳ０は回転せず、切換スイッチＳの可動接点ＳＭは固定接点Ｓ１に接触したままである（図４３（ｅ）〜（ｇ））。
【０１６０】
次いで、駆動軸２がさらに回転を行うと、図４４（ｂ）に示すようにカムフォロア２１がカム溝５ａの傾斜面に沿って移動し、主バルブＨが開き始める。このとき、通電接点ＣＳの可動接点ＣＳＭは図４４（ｃ）に示すように固定接点ＣＳ１から完全に開離している。また、空転機構４０のカップリング１０はまだ空転部５１aにあるため、第２のカップリング５１は静止したままである（図４４（ｇ））。
【０１６１】
その後、図４５（ｂ）に示すようにカムフォロア２１がカム溝５ｂの傾斜面に沿って移動し、抵抗バルブＷ２が閉極し始める。このとき、主バルブＨのカムフォロア２１は傾斜をくだりきって水平面に移動し、主バルブＨは完全に開極する。また、切換スイッチ空転機構４０の第１のカップリング１０と第２のカップリング５１が係合し、絶縁軸５３を介し、切換スイッチ可動部の集電リングＳ０を介して可動接点ＳＭとが回動を行う（図４５（ｅ）〜（ｇ））。
【０１６２】
駆動軸２の回転が続き、図４６（ｂ）に示すように抵抗バルブＷ２のカムフォロア２１がカム溝５ｂの傾斜を登りきると、図４６（ｅ）のように切換スイッチＳの可動接点ＳＭは固定接点Ｓ１から離れる。
【０１６３】
その後、図４７（ｂ）に示すように真空バルブＶ２のカムフォロア２１がカム溝５ｂの傾斜をくだり、抵抗バルブＷ１が開極する。このとき、主バルブＨは開、抵抗バルブＷ２は閉の状態にある。
【０１６４】
次に切換スイッチＳの可動接点ＳＭが図４８（ｅ）に示すように固定接点Ｓ２と接触する。このとき、主バルブＨは図４８（ｂ）に示すように開、抵抗バルブＷ１は開、抵抗バルブＷ２が閉の状態にある。
【０１６５】
また、駆動軸２によりカム５が回転すると、図４９（ｂ）に示すように主バルブＨのカムフォロア２１はカム溝５aの傾斜を登り、閉極する。このとき、切換スイッチＳの可動接点ＳＭは完全に固定接点Ｓ２と接触しているが、通電接点ＣＳの可動接点ＣＳＭはまだ固定接点ＣＳ２に接触していない状態にある（図４９（ｃ）、（ｅ））。
【０１６６】
さらに、駆動軸２の回転が進むと、図５０（ｃ）に示すように通電接点ＣＳの可動接点ＣＳＭが完全に固定接点ＣＳ２と接触状態になり、切換が完了し、タップＴ２による運転状態となる。このとき、主バルブＨは図５０（ｂ）に示すように閉、抵抗バルブＷ１は開、抵抗バルブＷ２は閉の状態である。
【０１６７】
以上の説明はタップＴ１からＴ２への切換動作であるが、タップＴ２からＴ１への切換は前述と逆動作となるだけなので、ここではその説明を省略する。
【０１６８】
なお、ここでは通電接点の可動部８０は中性点端子ＮＰと中性点接点台Ｎ１にスライド接点７０を介して電気的に接続しているが、第２の実施形態で示した可撓導線１２３で接続することも可能であることは言うまでもない。
【０１６９】
このように本発明の第３の実施形態では、真空バルブの開閉機構３０は真空バルブに開閉動作を伝達するカム５を中心にその外周に３相各相に対応する真空バルブを円周方向に等間隔に配置し、カム５の上方に切換スイッチＳと通電接点ＣＳの各々の回転部および接続導体ＮＢを駆動軸と同軸的に取付ける構成としたので、デッドスペースを有効に活用でき、コンパクトな配置が可能であるとともに、駆動軸２と、カム５、切換スイッチＳ、通電接点ＣＳすべてを同軸で駆動するため、複雑な機構とならずに２抵抗３バルブ切換方式の安定した切換シーケンスを得ることができる。
【０１７０】
また、カム５を駆動軸２の下端部に配置し、その上方に真空バルブ、切換スイッチＳ、通電接点ＣＳを配置することにより、タップ選択器のそれぞれの隣接するタップの可動接点Ｍ１、Ｍ２に接続される端子Ｍ１Ｐ、Ｍ２Ｐを上方に配置することができる。
【０１７１】
ところで、上記端子Ｍ１Ｐ、Ｍ２Ｐはワイプばね等により、切換開閉器を変圧器と隔離した容器に設けた固定接点に半径方向に接圧され、容器固定接点を介してタップ選択器の可動接点Ｍ１、Ｍ２と接続する場合がある。
【０１７２】
通常、切換開閉器は容器上部に設けたフランジに吊り下げ固定するため、切換開閉器を斜めに取付けた場合、端子Ｍ１Ｐ、Ｍ２Ｐに十分なワイプ量、荷重を与えないと端子Ｍ１Ｐ、Ｍ２Ｐと容器側の固定接点が不完全接触となる可能性がある。
【０１７３】
したがって、上記のように端子Ｍ１Ｐ、Ｍ２Ｐが上下方向位置で切換開閉器を固定する容器上部から近いところに位置しているので、この影響を受けにくくなるというメリットがある。
【０１７４】
本発明における切換開閉器では、端子Ｍ１Ｐ、Ｍ２Ｐを上方に配置することができるため、切換開閉器が斜めになることによる不完全接触の影響を軽減でき、安定した通電ができる。
【０１７５】
以上のように本発明の第３の実施形態によれば、２抵抗３バルブ切換方式を用いた安定した通電と切換動作を実現するコンパクトな切換開閉器を提供することができる。
【０１７６】
（第４の実施形態）
図５１は、本発明による２抵抗３バルブ切換方式を用いた負荷時タップ切換器の第４の実施形態について図５１乃至図６８を用いて説明する。
【０１７７】
なお、本実施形態の２抵抗３バルブ切換方式を用いた切換開閉器の切換回路図は、図３３と同様であり、また、その切換シーケンスは図２０と同様なので、ここではその説明を省略する。
【０１７８】
図５１は、２抵抗３バルブ切換方式を用いた切換開閉器の断面図、図５２は真空バルブ開閉機構を拡大して示す正面図及び側面図、図５３〜図５８はそれぞれ図５１におけるＡ−Ａ線、Ｂ−Ｂ線、Ｃ−Ｃ線、Ｄ−Ｄ線、Ｅ−Ｅ線、Ｆ−Ｆ線に沿う矢視断面図である。
【０１７９】
図５１において、１は図示しない電動操作機構からの動力を受けてばねを蓄勢し、所定のエネルギを蓄勢した後、瞬発的にそのエネルギを放勢する蓄勢装置である。２はこの蓄勢装置１の出力軸に直結された駆動軸で、この駆動軸２は鉛直方向に適宜離間させて水平にそれぞれ設けられた上部プレート３及び下部プレート４、６の中心部にベアリング３a、４a、６aによって回動自在に軸支されている。この場合、上部プレート３及び下部プレート４は駆動軸２の上部に対応する位置に設けられ、また下部プレート６は駆動軸の下端部に対応する位置に設けられている。
【０１８０】
この駆動軸２の上部プレート３及び下部プレート４間に対応する軸部には、真空バルブＨ、Ｗ1、Ｗ２を開閉するカム５が取付けられ、このカム５にはその円周方向の適宜箇所を上下方向に変位させたカム溝５ａ、５ｂ、５ｃが上下方向に３段形成されている。このカム５近傍の外周囲部に図５３にＵ、Ｖ、Ｗで示すように３相各相に対応する真空バルブ開閉機構３０が設けられている。
【０１８１】
この真空バルブ開閉機構部３０は、固定接点３２及び可動接点３１を有する真空バルブＨ，Ｗ１、Ｗ２が円周上に配置され、この真空バルブの可動接点３１には図５２（ａ），（ｂ）に示したように開閉ボス２４が取付け固定されている。
【０１８２】
この開閉ボス２４は導通を確保するとともに、開閉動作の際には作動力を受ける役割を持っている。開閉ボス２４の外側にはワイプバネ２５が設けられ、その一端を駆動ボス２０に、他端を開閉ボス２４の底面に当接して駆動ボス２０の動きに応じて通電に必要な接触力を可動接点３１に与えている。
【０１８３】
駆動ボス２０は、カム５に対し垂直方向に抜ける貫通孔を有し、且つカム５に対応する側面にカム溝５ａ，５ｂ，５ｃに係合するカムフォロア２１が回動自在に取付けられたもので、駆動ボス２０はその貫通孔を通して両端部が上部プレート３及び下部プレート４にそれぞれ固定された２本の案内棒２９に挿通させて直進ガイド２８を介して上下動可能に設けられ、カム５の回転動作が平滑に行われるように支持されている。
【０１８４】
また、開閉ボス２４の側面には可撓導線２３が接続され、これら可撓導線２３はそれぞれ中性点プレートＮＰＣに接続される。
【０１８５】
この中性点プレートＮＰＣには、図５４に示すようにスライド接点７０が取付けられ、集電リングＮＳ０に摺動接触されている。この集電リングＮＳ０は、図５１に示すように駆動軸２に連結キー１００で固定された例えば黄銅あるいは青銅からなる接続導体ＮＢに取付けられ、この接続導体ＮＢの他方には切換スイッチＳの下方で通電接点の可動部８０が取付けられている。
【０１８６】
一方、接続導体ＮＢの外周部には空転機構４０と可動部５０から成る切換スイッチＳが配置されている。
【０１８７】
空転機構４０は、接続導体ＮＢに連結キー１１により固定された第１のカップリング１０と、このカップリング１０と空転動作を行わせる第２のカップリング５１とを備えている。第１のカップリング１０は図５７に示すように凸部を有している。また、第２のカップリング５１は、第１のカップリング１０と同軸的に設けられ、且つ絶縁軸５３に固定された従動側となるもので、この第２のカップリング５１は、第１のカップリング１０の凸部が係合する第１の凹溝５１ａを有し、第１の凹溝５１ａと第１のカップリング１０の凸部間には空転角度θが設けられ、この空転角度θによる遅れ動作によって主バルブＨのしゃ断から切換スイッチＳの導通が離れるまでの時間を大きく取ることが可能になっている。
【０１８８】
また、可動部５０は、図５５、図５６に示すように空転機構４０の第２のカップリング５１と連結された絶縁軸５３と、この絶縁軸５３の周面に３相各相に対応させて取付けられた集電リングＳ０と、主バルブＨの固定接点３２に取付けられた通電台７１に固定され、この通電台を通電路として集電リングＳ０に摺動接触するスライド接点７０と、このスライド接点７０の下方の集電リングＳ０に固定され、スライド接点７０を有した可動接点ＳＭとで構成され、切換スイッチＳの固定接点Ｓ１、Ｓ２を可動部５０の回動に伴って選択可能になっている。
【０１８９】
さらに、通電接点ＣＳの可動部８０は、図５８に示すように中性点端子ＮＰと中性点接点台Ｎ１にスライド接点７０を介して電気的に接続されている。また、通電接点ＣＳの可動部８０は、可動接点ＣＳＭの回動に伴い、スライド接点７０を有した固定接点ＣＳ１、ＣＳ２を選択可能にしている。
【０１９０】
中性点端子ＮＰと中性点接点台Ｎ１に取付けたスライド接点７０は、可動接点ＣＳＭの回動を邪魔しないように、図５１に示すように通電接点ＣＳの可動部８０を挟持して取付けられ、上下のスライド接点７０の間を可動接点ＣＳＭが潜りぬけられるようになっている。
【０１９１】
切換スイッチＳ及び通電接点ＣＳの固定接点Ｓ１とＣＳ１、Ｓ２とＣＳ２はそれぞれ接点台９１、９２を介して端子Ｍ１Ｐ、Ｍ２Ｐに接続され、端子Ｍ１Ｐ、Ｍ２Ｐは図示していないタップ選択器のそれぞれの隣接するタップの可動接点Ｍ１、Ｍ２に接続される。
【０１９２】
上記スライド接点７０は第１の実施形態の図９に示した構成と同様なので、ここではその説明を省略する。
【０１９３】
次に上記のように構成された負荷時タップ切換器の動作を図５９から図６８により説明する。
【０１９４】
図５９（ａ）はタップＴ１における正規運転状態であり、カム溝５ｂにより抵抗バルブＷ１が閉、カム溝５ａにより抵抗バルブＷ２が開、カム溝５ｃにより主バルブＨが閉の状態にある。図５９（ｂ）は切換を完了し、タップＴ２における正規運転状態を示し、抵抗バルブＷ１が開、抵抗バルブＷ２が閉、主バルブＨが閉の状態にある。
【０１９５】
このときの切換動作シーケンスは図２０に示した通りである。以下その動作について図６０乃至図６８を用いて説明する。
【０１９６】
各図の（ａ）は図３３に対応した回路図、（ｂ）はカム５と主バルブＨ、抵抗バルブＷ１、Ｗ２の動作状態、（ｃ）は通電接点ＣＳにおける可動接点ＣＳＭの動作状態、（ｄ）は中性点プレートＮＰＣに取付けたスライド接点７０と集電リングＮＳ０の状態、（ｅ）は切換スイッチＳの可動接点ＳＭと固定接点Ｓ１、Ｓ２の接触状態、（ｆ）は切換スイッチＳにおける通電台７１に取付けたスライド接点７０と集電リングＳ０の状態、（ｇ）は空転機構４０の動作状態を示している。
【０１９７】
なお、ここでは見やすいように各々の可動接点は、スライド接点７０の可撓銅箔６１と接点６４のみを図示した。
【０１９８】
図６０はタップＴ１における運転状態を示し、主バルブＨ、抵抗バルブＷ１が閉じ、抵抗バルブＷ２が開極し、切換スイッチＳの可動接点ＳＭは固定接点Ｓ１を選択し、通電接点ＣＳの可動接点ＣＳＭは固定接点ＣＳ１を選択している。
【０１９９】
この状態で駆動軸２が回動すると、図６１（ｄ）に示すように駆動軸２に取付けられた接続導体ＮＢを介して集電リングＮＳ０が回動する。この集電リングＮＳ０が回動すると、接続導体ＮＢの他方（集電リングＮＳ０が取付けられた逆側）に取付けられた通電接点ＣＳの可動接点ＣＳＭも回動を行い、図６１（ｃ）に示すように固定接点ＣＳ１から開離する。また、カム５も回転を始めるが、カム溝５ａ、５ｂ、５ｃの水平面にカムフォロア２１があるため、図６１（ｂ）に示すように真空バルブの電極はまだ動かないままである。
【０２００】
この時、切換スイッチ空転機構４０の第１のカップリング１０が回転するが、空転部５１ａにカップリング１０があるため、第２のカップリング５１は静止したままであり、切換スイッチＳの可動部５０の集電リングＳ０は回転せず、切換スイッチＳの可動接点ＳＭは固定接点Ｓ１に接触したままである（図６１（ｅ）〜（ｇ））。
【０２０１】
次いで、駆動軸２がさらに回転を行うと、図６２（ｂ）に示すようにカムフォロア２１がカム溝５ｃの傾斜面に沿って移動し、主バルブＨが開き始める。このとき、通電接点ＣＳの可動接点ＣＳＭは図６２（ｃ）に示すように固定接点ＣＳ１から完全に開離している。また、空転機構４０のカップリング１０はまだ空転部５１ａにあるため、第２のカップリング５１は静止したままである（図６２（ｇ））。
【０２０２】
その後、図６３（ｂ）に示すようにカムフォロア２１がカム溝５ａの傾斜面に沿って移動し、抵抗バルブＷ２が閉極し始める。このとき、主バルブＨのカムフォロア２１は傾斜をくだりきって水平面に移動し、主バルブＨは完全に開極する。また、切換スイッチ空転機構４０の第１のカップリング１０と第２のカップリング５１が係合し、絶縁軸５３を介し、切換スイッチＳの可動部５０の集電リングＳ０を介して可動接点ＳＭとが回動を行う（図６３（ｅ）〜（ｇ））。
【０２０３】
駆動軸２の回転が続き、図６４（ｂ）に示すように抵抗バルブＷ２のカムフォロア２１がカム溝５ａの傾斜を下りきると、図６４（ｅ）のように切換スイッチＳの可動接点ＳＭは固定接点Ｓ１から離れる。
【０２０４】
その後、図６５（ｂ）に示すように真空バルブＷ１のカムフォロア２１がカム溝５ｂの傾斜を上がり、抵抗バルブＷ１が開極する。このとき、主バルブＨは開、抵抗バルブＷ２は閉の状態にある。
【０２０５】
次に切換スイッチＳの可動接点ＳＭが図６６（ｅ）に示すように固定接点Ｓ２と接触する。このとき、主バルブＨは図６６（ｂ）に示すように開、抵抗バルブＷ１は開、抵抗バルブＷ２が閉の状態にある。
【０２０６】
また、駆動軸２がカム５を回転させると、図６７（ｂ）に示すように主バルブＨのカムフォロア２１はカム溝５ｃの傾斜を下り、閉極する。このとき、切換スイッチＳの可動接点ＳＭは完全に固定接点Ｓ２と接触しているが、通電接点ＣＳの可動接点ＣＳＭはまだ固定接点ＣＳ２に接触していない状態にある（図６７（ｃ）、（ｅ））。
【０２０７】
さらに、駆動軸２の回転が進むと、図６８（ｃ）に示すように通電接点ＣＳの可動接点ＣＳＭが完全に固定接点ＣＳ２と接触状態になり、切換が完了し、タップＴ２による運転状態となる。このとき、主バルブＨは図６７（ｂ）に示すように閉、抵抗バルブＷ１は開、抵抗バルブＷ２は閉の状態である。
【０２０８】
以上の説明はタップＴ１からＴ２への切換動作であるが、タップＴ２からＴ１への切換は前述と逆動作となるだけなので、ここではその説明を省略する。
【０２０９】
このように本発明の第４の実施形態では、真空バルブ開閉機構３０は、真空バルブに開閉動作を伝達するカム５を中心にその外周に３相各相に対応する真空バルブを円周方向に等間隔に配置し、カム５の下方に切換スイッチＳと通電接点ＣＳの各々の回転部および接続導体ＮＢを駆動軸と同軸的に取付ける構成としたので、デッドスペースを有効に活用でき、コンパクトな配置が可能であるとともに、駆動軸２と、カム５、切換スイッチＳ、通電接点ＣＳすべてを同軸で駆動するため、複雑な機構とならずに２抵抗３バルブ切換方式の安定した切換シーケンスを得ることができる。
【０２１０】
すなわち、第１及び第２の実施形態では、真空バルブから中性点の接続導体ＮＢを設置するスペースを確保するため、真空バルブ間の距離を長くするか、真空バルブの外側に接続導体ＮＢを配置する必要があり、その結果、切換開閉器が大型化してしまうが、上述したように接続導体ＮＢを駆動軸と同軸的に取付けることで、デッドスペースを有効に活用することができる。したがって、大容量化に伴って真空バルブのサイズが大きくなっても切換開閉器全体をコンパクトにまとめた構成とすることができる。
【０２１１】
また、接続導体ＮＢに黄銅あるいは青銅を用いた場合、通電能力だけでなく、機械的強度に優れているため、接続導体ＮＢをコンパクトにすることができる。
【０２１２】
以上のことから本発明の第４の実施形態によれば、２抵抗３バルブ切換方式を用いた安定した通電と切換動作を実現するコンパクトな切換開閉器を提供することができる。
【０２１３】
（第５の実施形態）
図６９は、本発明の第５の実施形態における接続導体ＮＢの構成図である。
【０２１４】
本実施形態では、図６９（ａ），（ｂ）に示すように真空バルブと中性点を接続する導体ＮＢの外周に冷却用溝ＲＳを設けたものである。この接続導体ＮＢの上端部には通電接点ＣＳの集電リングＮＳＯが、下端部には通電接点ＣＳの可動接点ＣＳＭが設けられている。
【０２１５】
このように接続導体ＮＳに冷却用溝ＲＳを設けることにより、接続導体ＮＳの材料選定には、通電能力より機械的強度を重視することができる。
【０２１６】
また、このような構成の接続導体ＮＳを第４の実施実施の通電接点を設けた切換開閉器に適用した場合、接続導体として機械的強度が高く、導電率が低い材料を選定しても、接続導体はタップ切換時のみ通電し、常時の運転状態では通電接点のみの通電となるので、タップ切換時の短時間通電に対する冷却効果を得ることができる。これにより、接続導体ＮＢをコンパクトにすることができる。
【０２１７】
以上のように本発明の第５の実施形態によれば、２抵抗３バルブ切換方式を用いた安定した通電と切換動作を実現できるコンパクトな切換開閉器を提供できる。
【図面の簡単な説明】
【０２１８】
【図１】本発明による負荷時タップ切換器の第１の実施形態を示す回路図。
【図２】（ａ），（ｂ）は同実施形態における切換開閉器のシーケンス図。
【図３】同実施形態における切換開閉器の断面図。
【図４】（ａ），（ｂ）は同実施形態における真空バルブ開閉機構を拡大して示す正面図及び側面図。
【図５】図３のＡ−Ａ線に沿う矢視断面図。
【図６】図３のＢ−Ｂ線に沿う矢視断面図。
【図７】図３のＣ−Ｃ線に沿う矢視断面図。
【図８】図３のＤ−Ｄ線に沿う矢視断面図。
【図９】（ａ），（ｂ）は同実施形態における各可動接点に用いるスライド接点の詳細図。
【図１０】（ａ），（ｂ）は同実施形態における切換開閉器のタップＴ１，Ｔ２正規運転時の切換回路およびカム溝と真空バルブ開閉関係を示した図。
【図１１】（ａ）〜（ｅ）は図１（イ）における切換開閉器の各部の切換動作説明図。
【図１２】（ａ）〜（ｅ）は図１（ロ）における切換開閉器の各部の切換動作説明図。
【図１３】（ａ）〜（ｅ）は図１（ハ）における切換開閉器の各部の切換動作説明図。
【図１４】（ａ）〜（ｅ）は図１（ニ）における切換開閉器の各部の切換動作説明図。
【図１５】（ａ）〜（ｅ）は図１（ホ）における切換開閉器の各部の切換動作説明図。
【図１６】（ａ）〜（ｅ）は図１（ヘ）における切換開閉器の各部の切換動作説明図。
【図１７】（ａ）〜（ｅ）は図１（ト）における切換開閉器の各部の切換動作説明図。
【図１８】（ａ）〜（ｅ）は切換開閉器の切換完了時における各部の状態説明図。
【図１９】本発明による負荷時タップ切換器の第２の実施形態を示す回路図。
【図２０】（ａ），（ｂ）は同実施形態における切換開閉器のシーケンス図。
【図２１】同実施形態における切換開閉器の断面図。
【図２２】図２１におけるＥ−Ｅ線に沿う矢視断面図。
【図２３】（ａ），（ｂ）は同実施形態における切換開閉器のタップＴ１，Ｔ２正規運転時の切換回路およびカム溝と真空バルブ開閉関係を示した図。
【図２４】（ａ）〜（ｆ）は図１９（イ）における切換開閉器の各部の切換動作説明図。
【図２５】（ａ）〜（ｆ）は図１９（ロ）における切換開閉器の各部の切換動作説明図。
【図２６】（ａ）〜（ｆ）は図１９（ハ）における切換開閉器の各部の切換動作説明図。
【図２７】（ａ）〜（ｆ）は図１９（ニ）における切換開閉器の各部の切換動作説明図。
【図２８】（ａ）〜（ｆ）は図１９（ホ）における切換開閉器の各部の切換動作説明図。
【図２９】（ａ）〜（ｆ）は図１９（ヘ）における切換開閉器の各部の切換動作説明図。
【図３０】（ａ）〜（ｆ）は図１９（ト）における切換開閉器の各部の切換動作説明図。
【図３１】（ａ）〜（ｆ）は図１９（チ）における切換開閉器の各部の切換動作説明図。
【図３２】（ａ）〜（ｆ）は図１９（リ）における切換開閉器の各部の切換動作説明図。
【図３３】本発明による負荷時タップ切換器の第３の実施形態を示す回路図。
【図３４】同実施形態における切換開閉器の断面図。
【図３５】図３４におけるＡ−Ａ線に沿う矢視断面図。
【図３６】図３４におけるＢ−Ｂ線に沿う矢視断面図。
【図３７】図３４におけるＣ−Ｃ線に沿う矢視断面図。
【図３８】図３４におけるＤ−Ｄ線に沿う矢視断面図。
【図３９】図３４におけるＥ−Ｅ線に沿う矢視断面図。
【図４０】図３４におけるＦ−Ｆ線に沿う矢視断面図。
【図４１】（ａ），（ｂ）は同実施形態における切換開閉器のタップＴ１，Ｔ２正規運転時の切換回路およびカム溝と真空バルブ開閉関係を示した図。
【図４２】（ａ）〜（ｇ）は図３３（イ）における切換開閉器の各部の切換動作説明図。
【図４３】（ａ）〜（ｇ）は図３３（ロ）における切換開閉器の各部の切換動作説明図。
【図４４】（ａ）〜（ｇ）は図３３（ハ）における切換開閉器の各部の切換動作説明図。
【図４５】（ａ）〜（ｇ）は図３３（ニ）における切換開閉器の各部の切換動作説明図。
【図４６】（ａ）〜（ｇ）は図３３（ホ）における切換開閉器の各部の切換動作説明図。
【図４７】（ａ）〜（ｇ）は図３３（ヘ）における切換開閉器の各部の切換動作説明図。
【図４８】（ａ）〜（ｇ）は図３３（ト）における切換開閉器の各部の切換動作説明図。
【図４９】（ａ）〜（ｇ）は図３３（チ）における切換開閉器の各部の切換動作説明図。
【図５０】（ａ）〜（ｇ）は図３３（リ）における切換開閉器の各部の切換動作説明図。
【図５１】本発明による負荷時タップ切換器の第４の実施形態を示す断面図。
【図５２】（ａ），（ｂ）は同実施形態における真空バルブ開閉機構を拡大して示す正面図及び側面図。
【図５３】図５１におけるＡ−Ａ線に沿う矢視断面図。
【図５４】図５１におけるＢ−Ｂ線に沿う矢視断面図。
【図５５】図５１におけるＣ−Ｃ線に沿う矢視断面図。
【図５６】図５１におけるＤ−Ｄ線に沿う矢視断面図。
【図５７】図５１におけるＥ−Ｅ線に沿う矢視断面図。
【図５８】図５１におけるＦ−Ｆ線に沿う矢視断面図。
【図５９】（ａ），（ｂ）は同実施形態における切換開閉器のタップＴ１，Ｔ２正規運転時の切換回路およびカム溝と真空バルブ開閉関係を示した図。
【図６０】（ａ）〜（ｇ）は図３３（イ）における切換開閉器の各部の切換動作説明図。
【図６１】（ａ）〜（ｇ）は図３３（ロ）における切換開閉器の各部の切換動作説明図。
【図６２】（ａ）〜（ｇ）は図３３（ハ）における切換開閉器の各部の切換動作説明図。
【図６３】（ａ）〜（ｇ）は図３３（ニ）における切換開閉器の各部の切換動作説明図。
【図６４】（ａ）〜（ｇ）は図３３（ホ）における切換開閉器の各部の切換動作説明図。
【図６５】（ａ）〜（ｇ）は図３３（ヘ）における切換開閉器の各部の切換動作説明図。
【図６６】（ａ）〜（ｇ）は図３３（ト）における切換開閉器の各部の切換動作説明図。
【図６７】（ａ）〜（ｇ）は図３３（チ）における切換開閉器の各部の切換動作説明図。
【図６８】（ａ）〜（ｇ）は図３３（リ）における切換開閉器の各部の切換動作説明図。
【図６９】（ａ），（ｂ）は本発明の第４の実施形態における接続導体を示す正面図及びそのＡ−Ａ線に沿う矢視断面図。
【符号の説明】
【０２１９】
１… 蓄勢装置、２…駆動軸、３…上部プレート、３ａ…ベアリング、４，６…下部プレート、４ａ，６ａ…ベアリング、５…カム、５ａ，５ｂ…カム溝、１０…第１のカップリング、１１…連結キー、１２…連結キー、２０…駆動ボス、２１…カムフォロア、２３…        可撓導線、２４…開閉ボス、２５…ワイプバネ、２８…直進ガイド、２９…案内棒、３０        …真空バルブ開閉機構、３１…真空バルブ可動接点、３２…真空バルブ固定接点、４０…切換スイッチ空転機構、５０…切換スイッチ可動部、５１…第２のカップリング、５１ａ…凹溝（空転部）、５３…絶縁軸、６１…可撓銅箔、６２…板ばね、６３…通電座金、６４…接点、７０…スライド接点、７１…通電台、８０…通電接点の可動部、９１…接点台、９２…接点台、１００…連結キー、１２３…可撓導線、ＣＳ…通電接点、ＣＳ１，ＣＳ２…通電接点の固定接点、ＣＳＭ…通電接点の可動接点、Ｈ…主バルブ、ＩＣ…循環電流、ＩＬ…負荷電流、Ｍ１，Ｍ２…タップ選択器の可動接点、Ｍ１Ｐ，Ｍ２Ｐ…端子、Ｎ…中性点、Ｎ１…中性点接点台、ＮＢ…接続導体、ＮＰ…中性点端子、ＮＰＣ…中性点プレート、ＮＲ…中性点リング、ＮＳ０…通電接点の集電リング、Ｒ１，Ｒ２…限流抵抗、Ｓ…切換スイッチ、Ｓ１，Ｓ２…切換スイッチの固定接点、ＳＭ…切換スイッチの可動接点、Ｓ０…切換スイッチの集電リング、ＴＷ…タップ巻線、Ｗ１，Ｗ２…抵抗バルブ、θ…空転角度
【図１】
2008135651.tif 000003
【図２】
2008135651.tif 000004
【図３】
2008135651.tif 000005
【図４】
2008135651.tif 000006
【図５】
2008135651.tif 000007
【図６】
2008135651.tif 000008
【図７】
2008135651.tif 000009
【図８】
2008135651.tif 000010
【図９】
2008135651.tif 000011
【図１０】
2008135651.tif 000012
【図１１】
2008135651.tif 000013
【図１２】
2008135651.tif 000014
【図１３】
2008135651.tif 000015
【図１４】
2008135651.tif 000016
【図１５】
2008135651.tif 000017
【図１６】
2008135651.tif 000018
【図１７】
2008135651.tif 000019
【図１８】
2008135651.tif 000020
【図１９】
2008135651.tif 000021
【図２０】
2008135651.tif 000022
【図２１】
2008135651.tif 000023
【図２２】
2008135651.tif 000024
【図２３】
2008135651.tif 000025
【図２４】
2008135651.tif 000026
【図２５】
2008135651.tif 000027
【図２６】
2008135651.tif 000028
【図２７】
2008135651.tif 000029
【図２８】
2008135651.tif 000030
【図２９】
2008135651.tif 000031
【図３０】
2008135651.tif 000032
【図３１】
2008135651.tif 000033
【図３２】
2008135651.tif 000034
【図３３】
2008135651.tif 000035
【図３４】
2008135651.tif 000036
【図３５】
2008135651.tif 000037
【図３６】
2008135651.tif 000038
【図３７】
2008135651.tif 000039
【図３８】
2008135651.tif 000040
【図３９】
2008135651.tif 000041
【図４０】
2008135651.tif 000042
【図４１】
2008135651.tif 000043
【図４２】
2008135651.tif 000044
【図４３】
2008135651.tif 000045
【図４４】
2008135651.tif 000046
【図４５】
2008135651.tif 000047
【図４６】
2008135651.tif 000048
【図４７】
2008135651.tif 000049
【図４８】
2008135651.tif 000050
【図４９】
2008135651.tif 000051
【図５０】
2008135651.tif 000052
【図５１】
2008135651.tif 000053
【図５２】
2008135651.tif 000054
【図５３】
2008135651.tif 000055
【図５４】
2008135651.tif 000056
【図５５】
2008135651.tif 000057
【図５６】
2008135651.tif 000058
【図５７】
2008135651.tif 000059
【図５８】
2008135651.tif 000060
【図５９】
2008135651.tif 000061
【図６０】
2008135651.tif 000062
【図６１】
2008135651.tif 000063
【図６２】
2008135651.tif 000064
【図６３】
2008135651.tif 000065
【図６４】
2008135651.tif 000066
【図６５】
2008135651.tif 000067
【図６６】
2008135651.tif 000068
【図６７】
2008135651.tif 000069
【図６８】
2008135651.tif 000070
【図６９】
2008135651.tif 000071